(57)【要約】【課題】  記録媒体における、実際に情報が記録される状態に対応した記録パワーを決定できる光情報記録装置を提供する。【解決手段】  光情報記録装置１では、光ディスク５０に対してデータの記録がなされる場合、当該光ディスク５０におけるデータの上書き回数に応じて、レーザピックアップ３６のレーザパワーが決定される。なお、フラッシュメモリ４２には、光ディスク５０の上書き回数に関連付けられて、目標変調度が記憶されている。そして、テスト書込みにおいて当該目標変調度を達成すると判断されたレーザパワーが、光ディスク５０へのデータの記録に適切なレーザパワーとされる。【選択図】        図１
2006040344.tif 000002
【特許請求の範囲】
【請求項１】
ディスク形状を有する記録媒体の記録面に光ビームを照射することにより、前記記録媒体に対する情報の記録および前記記録媒体に記録された情報の再生を行なう光情報記録装置であって、
前記記録媒体にレーザによって光ビームを照射して情報を記録する記録手段と、
前記記録媒体に記録された情報を再生する再生手段と、
前記記録手段に前記記録媒体の所定の箇所に対して所定の情報を記録させた後、前記所定の箇所に記録された前記所定の情報についての前記再生手段による再生信号の品質評価に基づいて、前記記録手段における最適なレーザパワーを決定する決定手段と、
前記記録媒体において記録の対象となる箇所の半径方向の位置、前記記録媒体の上書き回数、および、前記記録媒体の製造元についての情報と、前記再生手段による再生信号における直流成分の振幅に対する交流成分の振幅の比である変調度の基準値とを関連付けて記憶する記憶手段とを備え、
前記決定手段は、前記再生手段に前記記録媒体に記録された上書き回数についての情報を再生させることにより得られる上書き回数、前記記録媒体において記録の対象となる箇所の半径方向の位置、および、前記記録媒体の製造元についての情報に基づいて、前記記憶手段に記憶された前記変調度の基準値の中から１つの基準値を選択し、さらに、前記選択された前記変調度の基準値が得られるようなレーザパワーを前記レーザ照射手段についての最適なレーザパワーと決定する、光情報記録装置。
【請求項２】
記録媒体の記録面に光ビームを照射することにより、前記記録媒体に対する情報の記録および前記記録媒体に記録された情報の再生を行なう光情報記録装置であって、
前記記録媒体にレーザによって光ビームを照射して情報を記録する記録手段と、
前記記録媒体に記録された情報を再生する再生手段と、
前記記録手段に前記記録媒体の所定の箇所に対して所定の情報を記録させた後、前記所定の箇所に記録された前記所定の情報についての前記再生手段による再生信号の品質評価に基づいて、前記記録手段における最適なレーザパワーを決定する決定手段と、
前記記録媒体の上書き回数と、前記再生手段による再生信号における直流成分の振幅に対する交流成分の振幅の比である変調度の基準値とを関連付けて記憶する記憶手段とを備え、
前記決定手段は、前記再生手段に前記記録媒体に記録された上書き回数についての情報を再生させることにより、前記記録媒体に記録された上書き回数に基づいて前記記憶手段に記憶された前記変調度の基準値の中から１つの基準値を選択し、前記選択された前記変調度の基準値が得られるようなレーザパワーを前記レーザ照射手段についての最適なレーザパワーと決定する、光情報記録装置。
【請求項３】
前記記録媒体は、ディスク形状を有し、
前記記憶手段は、前記記録媒体の上書き回数、および、前記記録媒体において記録の対象となる箇所の半径方向の位置と、前記変調度の基準値とを関連付けて記憶し、
前記決定手段は、前記記録媒体に記録された上書き回数および前記記録媒体において記録対象となる箇所の半径方向の位置に基づいて前記変調度の基準値の中から１つの基準値を選択する、請求項２に記載の光情報記録装置。
【請求項４】
前記記憶手段は、前記記録媒体の上書き回数、および、前記記録媒体の製造元についての情報と、前記変調度の基準値とを関連付けて記憶し、
前記決定手段は、前記記録媒体に記録された上書き回数および前記記録媒体の製造元についての情報に基づいて前記変調度の基準値の中から１つの基準値を選択する、請求項２に記載の光情報記録装置。
【請求項５】
ディスク形状を有する記録媒体の記録面に光ビームを照射することにより、前記記録媒体に対する情報の記録および前記記録媒体に記録された情報の再生を行なう光情報記録装置であって、
前記記録媒体にレーザによって光ビームを照射して情報を記録する記録手段と、
前記記録媒体に記録された情報を再生する再生手段と、
前記記録手段に前記記録媒体の所定の箇所に対して所定の情報を記録させた後、前記所定の箇所に記録された前記所定の情報についての前記再生手段による再生信号の品質評価に基づいて、前記記録手段における最適なレーザパワーを決定する決定手段と、
前記記録媒体において記録の対象となる箇所の半径方向の位置と、前記再生手段による再生信号における直流成分の振幅に対する交流成分の振幅の比である変調度の基準値とを関連付けて記憶する記憶手段とを備え、
前記決定手段は、前記記録媒体において記録の対象となる箇所の半径方向の位置に基づいて前記記憶手段に記憶された前記変調度の基準値の中から１つの基準値を選択し、前記選択された前記変調度の基準値が得られるようなレーザパワーを前記レーザ照射手段についての最適なレーザパワーと決定する、光情報記録装置。
【請求項６】
前記記憶手段は、前記記録媒体において記録の対象となる箇所の半径方向の位置、および、前記記録媒体の製造元についての情報と、前記変調度の基準値とを関連付けて記憶し、
前記決定手段は、前記記録媒体において記録の対象となる箇所の半径方向の位置および前記記録媒体の製造元についての情報に基づいて前記変調度の基準値の中から１つの基準値を選択する、請求項５に記載の光情報記録装置。
【発明の詳細な説明】
【技術分野】
【０００１】
本発明は、光情報記録装置に関し、特に、光情報記録装置において記録媒体に情報を記録する際の光のパワーの最適化に関する。
【背景技術】
【０００２】
従来から、光学的に情報の書込みが可能な記録媒体に対して、当該記録媒体の所定部分、具体的には、光ディスクであればそのＰＣＡ（Power Calibration Area）と呼ばれる領域に光照射におけるレーザパワーを複数段変化させてテスト記録を行ない、レーザパワーを最適化する技術が知られている。このような技術では、テスト記録された情報を再生させる際の再生ＲＦ（Radio Frequency）信号の品質評価に基づいて、レーザパワーの最適化が行なわれる。再生ＲＦ信号の品質の評価としては、通常、変調度ｍが用いられる。変調度ｍとは、ＤＣ（direct current）成分を含む再生ＲＦ信号のエンベロープのピーク電圧Ａとボトム電圧Ｂから、次の式（１）に従って算出されるパラメータである。
【０００３】
ｍ＝（Ａ−Ｂ）／Ａ  …（１）
そして、光情報記録装置では、所望の変調度ｍ（基準変調度）が得られるレーザパワーを最適なレーザパワーとして、本番の記録（情報の書込み）が行なわれる。
【０００４】
このようにレーザパワーの決定の際に用いられる変調度ｍは、記録媒体のメーカごと等に固定値として設定されている場合があった。ただし、固定値とされると、記録媒体の実際に情報を記録される状態に対応した最適なレーザパワーの決定ができないという問題が生じる。
【０００５】
そして、このような観点から、従来、特許文献１には、複数のレーザパワーで行なわれたテスト記録における変調度をそれぞれ算出し、算出された変調度のレーザパワーに対する変化の傾きに基づいて最適なレーザパワーを決定する技術が開示されている。なお、特許文献１に記載されたような技術では、処理が煩雑になるという新たな問題を生じることが考えられる。
【０００６】
このような観点から、特許文献２には、光ディスクを、予めエンボス部を形成された再生専用領域を有するように構成し、当該エンボス部を再生したときの変調度を目標変調値とする技術が開示されている。
【特許文献１】特開２００３−６７９２５号公報
【特許文献２】特開２００３−３０３４１６号公報
【発明の開示】
【発明が解決しようとする課題】
【０００７】
しかしながら、特許文献２に開示された技術についても、記録媒体における、実際に情報が記録される状態に対応したレーザパワーを決定できるものとは言い難く、さらなる検討が必要であると考えられた。
【０００８】
本発明は、かかる実情に鑑み考え出されたものであり、その目的は、記録媒体における、実際に情報が記録される状態に対応したレーザパワーを決定できる光情報記録装置を提供することである。
【課題を解決するための手段】
【０００９】
本発明の或る局面に従った光情報記録装置は、ディスク形状を有する記録媒体の記録面に光ビームを照射することにより、前記記録媒体に対する情報の記録および前記記録媒体に記録された情報の再生を行なう光情報記録装置であって、前記記録媒体にレーザによって光ビームを照射して情報を記録する記録手段と、前記記録媒体に記録された情報を再生する再生手段と、前記記録手段に前記記録媒体の所定の箇所に対して所定の情報を記録させた後、前記所定の箇所に記録された前記所定の情報についての前記再生手段による再生信号の品質評価に基づいて、前記記録手段における最適なレーザパワーを決定する決定手段と、前記記録媒体において記録の対象となる箇所の半径方向の位置、前記記録媒体の上書き回数、および、前記記録媒体の製造元についての情報と、前記再生手段による再生信号における直流成分の振幅に対する交流成分の振幅の比である変調度の基準値とを関連付けて記憶する記憶手段とを備え、前記決定手段は、前記再生手段に前記記録媒体に記録された上書き回数についての情報を再生させることにより得られる上書き回数、前記記録媒体において記録の対象となる箇所の半径方向の位置、および、前記記録媒体の製造元についての情報に基づいて、前記記憶手段に記憶された前記変調度の基準値の中から１つの基準値を選択し、さらに、前記選択された前記変調度の基準値が得られるようなレーザパワーを前記レーザ照射手段についての最適なレーザパワーと決定することを特徴とする。
【００１０】
本発明の他の局面に従った光情報記録装置は、記録媒体の記録面に光ビームを照射することにより、前記記録媒体に対する情報の記録および前記記録媒体に記録された情報の再生を行なう光情報記録装置であって、前記記録媒体にレーザによって光ビームを照射して情報を記録する記録手段と、前記記録媒体に記録された情報を再生する再生手段と、前記記録手段に前記記録媒体の所定の箇所に対して所定の情報を記録させた後、前記所定の箇所に記録された前記所定の情報についての前記再生手段による再生信号の品質評価に基づいて、前記記録手段における最適なレーザパワーを決定する決定手段と、前記記録媒体の上書き回数と、前記再生手段による再生信号における直流成分の振幅に対する交流成分の振幅の比である変調度の基準値とを関連付けて記憶する記憶手段とを備え、前記決定手段は、前記再生手段に前記記録媒体に記録された上書き回数についての情報を再生させることにより、前記記録媒体に記録された上書き回数に基づいて前記記憶手段に記憶された前記変調度の基準値の中から１つの基準値を選択し、前記選択された前記変調度の基準値が得られるようなレーザパワーを前記レーザ照射手段についての最適なレーザパワーと決定することを特徴とする。
【００１１】
また、本発明に従った光情報記録装置では、前記記録媒体は、ディスク形状を有し、前記記憶手段は、前記記録媒体の上書き回数、および、前記記録媒体において記録の対象となる箇所の半径方向の位置と、前記変調度の基準値とを関連付けて記憶し、前記決定手段は、前記記録媒体に記録された上書き回数および前記記録媒体において記録対象となる箇所の半径方向の位置に基づいて前記変調度の基準値の中から１つの基準値を選択することが好ましい。
【００１２】
また、本発明に従った光情報記録装置では、前記記憶手段は、前記記録媒体の上書き回数、および、前記記録媒体の製造元についての情報と、前記変調度の基準値とを関連付けて記憶し、前記決定手段は、前記記録媒体に記録された上書き回数および前記記録媒体の製造元についての情報に基づいて前記変調度の基準値の中から１つの基準値を選択することが好ましい。
【００１３】
本発明のさらに他の局面に従った光情報記録装置は、ディスク形状を有する記録媒体の記録面に光ビームを照射することにより、前記記録媒体に対する情報の記録および前記記録媒体に記録された情報の再生を行なう光情報記録装置であって、前記記録媒体にレーザによって光ビームを照射して情報を記録する記録手段と、前記記録媒体に記録された情報を再生する再生手段と、前記記録手段に前記記録媒体の所定の箇所に対して所定の情報を記録させた後、前記所定の箇所に記録された前記所定の情報についての前記再生手段による再生信号の品質評価に基づいて、前記記録手段における最適なレーザパワーを決定する決定手段と、前記記録媒体において記録の対象となる箇所の半径方向の位置と、前記再生手段による再生信号における直流成分の振幅に対する交流成分の振幅の比である変調度の基準値とを関連付けて記憶する記憶手段とを備え、前記決定手段は、前記記録媒体において記録の対象となる箇所の半径方向の位置に基づいて前記記憶手段に記憶された前記変調度の基準値の中から１つの基準値を選択し、前記選択された前記変調度の基準値が得られるようなレーザパワーを前記レーザ照射手段についての最適なレーザパワーと決定することを特徴とする。
【００１４】
また、本発明に従った光情報記録装置では、前記記憶手段は、前記記録媒体において記録の対象となる箇所の半径方向の位置、および、前記記録媒体の製造元についての情報と、前記変調度の基準値とを関連付けて記憶し、前記決定手段は、前記記録媒体において記録の対象となる箇所の半径方向の位置および前記記録媒体の製造元についての情報に基づいて前記変調度の基準値の中から１つの基準値を選択することが好ましい。
【発明の効果】
【００１５】
本発明によると、光情報記録装置において、記録媒体への情報の記録の際のレーザパワーの決定に用いる変調度が、当該記録媒体の上書き回数に応じたものとされる。
【００１６】
これにより、光情報記録装置は、記録媒体への情報の記録の際のレーザパワーを、当該記録媒体の上書き回数に応じたものに、つまり、記録媒体において実際に情報が記録される状態に対応したものに、することができる。
【００１７】
また、本発明によると、光情報記録装置において、ディスク形状を有する記録媒体への情報の記録の際のレーザパワーの決定に用いる変調度が、当該記録媒体において記録の対象となる箇所の半径方向の位置に応じたものとされる。
【００１８】
これにより、光情報記録装置は、記録媒体への情報の記録の際のレーザパワーを、当該記録媒体において記録の対象となる箇所の位置に応じたものに、つまり、記録媒体において実際に情報が記録される状態に対応したものに、することができる。
【００１９】
また、本発明によると、光情報記録装置において、さらに、記録媒体の製造元に応じて、レーザパワーを決定することができる。
【発明を実施するための最良の形態】
【００２０】
以下、図面を参照しつつ、本発明の実施の形態を説明する。
【００２１】
図１に、本発明の光情報記録装置の一実施の形態のブロック図を示す。
【００２２】
光情報記録装置１は、当該光情報記録装置１の動作を全体的に制御するＣＰＵ（central processing unit）３１を備え、さらに、ピックアップ駆動回路３２、レーザ制御回路３３、回転制御回路３４、モータ３５、レーザピックアップ３６、デコード回路３８、バッファメモリ３９、インターフェイス回路４０、ＲＡＭ（random access memory）４１、フラッシュメモリ４２、および、ＲＯＭ（read only memory）を備えている。光情報記録装置１は、インターフェイス制御回路４０を介して、外部装置４４と接続されている。
【００２３】
光情報記録装置１に光ディスク５０がセットされると、ＣＰＵ３１が、回転制御回路３４に指示してモータ３５を回転制御させることにより、スピンアップ動作がスタートする。そして、ＣＰＵ３１は、ピックアップ駆動回路３２に指示することによりレーザピックアップ３６を駆動して、光ディスク５０に記録されたデータを読出す。光ディスク５０から読出されたデータは、レーザ制御回路３３に入力されて電気信号に変換され、レーザ制御回路３３からバッファメモリ３９に格納される。ＲＡＭ４１はその一部にディスク情報記憶部を持つ。ＣＰＵ３１は、バッファメモリ３９に入ったディスクデータのうちＴＯＣ（table of contents）等の管理情報を読出し、前記ＲＡＭ４１内のディスク情報記憶部に保存する。
【００２４】
外部装置１００からの指令等により、さらに光ディスク５０に記録された情報の読出し（または、再生）が行なわれる場合には、同様に、ＣＰＵ３１が、回転制御回路３４に指示してモータ３５を回転制御し、さらに、ピックアップ駆動回路３２に指示することにより、レーザピックアップ３６を駆動する。また、読出されたデータは、バッファメモリ３９に一時的に格納された後、デコード回路３８およびインターフェイス制御回路４０を介して、外部装置１００に出力される。
【００２５】
ＣＰＵ３１は、外部装置１００から入力される情報に基づき、ＲＯＭ４３に格納されている制御プログラムに従って、光ディスク５０に対して情報の書込みおよび読込みの動作を行なう。
【００２６】
レーザピックアップ３６による、レーザの照射、および、照射されたレーザ光の反射光からの情報の読出しは、レーザ制御回路３３によって制御される。モータ３５の動作は、回転制御回路３４によって制御される。
【００２７】
光情報記録装置１において、外部装置１００からの指令等により、光ディスク５０に、情報が記録される際には、ＣＰＵ３１は、回転制御回路３４に指示してモータ３５を回転制御し、さらに、ピックアップ駆動回路３２に指示することにより、レーザピックアップ３６を駆動する。なお、外部装置１００から、光ディスク５０に記録されるデータが送信されてくる場合には、送信されてきたデータは、一旦バッファメモリ３９に蓄積された後、光ディスク５０に記録される。
【００２８】
フラッシュメモリ４２は、レーザピックアップ３６が光ディスク５０に対して情報（データ）を記録する際のレーザパワーの決定に利用される変調度の基準値を記憶している。なお、当該変調度の基準値は、図２に模式的に示されるように、光ディスク５０の上書き回数に関連付けられて、記憶されている。
【００２９】
ここで、図３を参照して、光情報記録装置１において、外部装置１００から送られたデータが光ディスク５０に記録される際の動作を、上記したようなレーザパワーの決定に関する内容も含めて説明する。なお、図３は、このような場合にＣＰＵ３１によって実行される情報記録処理のフローチャートである。
【００３０】
情報記録処理では、まず、ステップ（以下、「ステップ」を省略する）Ｓ１で、ＣＰＵ３１は、図２に示したようにフラッシュメモリ４２に記録された変調度の基準値（目標変調度）を読込み、ＲＡＭ４１に記憶させる。なお、Ｓ１では、ＣＰＵ３１は、光ディスク５０のリードインエリアに記録された、当該光ディスク５０の上書き回数を参照し、当該上書き回数に応じた目標変調度をフラッシュメモリ４２から読込み、ＲＡＭ４１に記憶される。
【００３１】
次に、Ｓ２で、ＣＰＵ３１は、外部装置１００からインターフェイス制御回路４０およびデコード回路３８を介して送られてくるデータを、バッファメモリ３９に書込む。
【００３２】
そして、ＣＰＵ３１は、バッファメモリ３９において当該バッファメモリ３９の容量分の情報が書込まれたか否かを判断し、そのようになったと判断すると、Ｓ４に処理を進める。
【００３３】
Ｓ４では、ＣＰＵ３１は、光ディスク５０のＰＣＡ領域に対して、レーザピックアップ３６のレーザパワーを変更させながら、複数のレーザパワーで、テスト書込みを行なわせる。
【００３４】
そして、Ｓ５で、ＣＰＵ３１は、直前で実行したＳ４におけるテスト書込みにおいて書込まれたデータの再生信号に基づき、Ｓ２で読込んだ目標変調度を達成できるレーザパワーを探し、当該レーザパワーを、レーザピックアップ３６が情報の記録を行なう最適なレーザパワーであると決定し、処理をＳ６に進める。
【００３５】
そして、Ｓ６で、ＣＰＵ３１は、バッファメモリ３９に書込まれているデータを、光ディスク５０の適切な領域に記録させる。なお、ここでの光ディスク５０へのデータの記録が成功したことに応じてて、バッファメモリ３９に書込まれたデータは消去される。
【００３６】
そして、Ｓ７で、ＣＰＵ３１は、外部装置１００から送られるデータの光ディスク５０への記録が終了したか否かを判断し、終了したと判断すると、情報記録処理を終了させる。一方、まだ終了していないと判断すると、ＣＰＵ３１は、Ｓ２に処理を戻し、光ディスク５０に記録させる残りのデータを、順次、外部装置１００から受付け、バッファメモリ３９に書込む。つまり、本実施の形態では、バッファメモリ３９の記憶容量分のデータが光ディスク５０に記録されるごとに、レーザピックアップ３６におけるデータの記録のための最適なレーザパワーが決定されることになる。
【００３７】
以上説明した情報記録処理では、光ディスク５０は、当該光ディスク５０におけるデータの上書き回数に応じたレーザパワーで、データを記録されることになる。
【００３８】
なお、以上説明した情報記録処理では、当該情報記録処理が終了される前に、光ディスク５０に対して、そのリードインエリアに記録された上書き回数を１加算更新されることが好ましい。
【００３９】
また、光情報記録装置１は、光ディスク５０に対するデータの記録の際のレーザパワーを、光ディスク５０の上書き回数の代わりに、光ディスク５０において記録の対象となる位置に応じて決定しても良い。光ディスク５０における、記録の対象となる位置とは、たとえば、書込まれる箇所の、光ディスク５０の中心からの距離を言い、当該箇所の光ディスク５０の半径方向の位置とも言う。
【００４０】
このような場合、フラッシュメモリ４１は、図２に示したような、光ディスク５０の上書き回数に関連付けられた目標変調度の代わりに、図４に示すような、光ディスク５０における半径方向の位置（ＤＩＳＣ半径位置）に関連付けられた目標変調度を記憶している。そして、情報記録処理では、Ｓ１では図４に示されたすべてのＤＩＳＣ半径位置についての目標変調度がＲＡＭ４１に書込まれる。
【００４１】
そして、Ｓ５において最適なレーザパワーが決定される際には、ＣＰＵ３１は、レーザピックアップ３６を光ディスク５０の内周側に移動させて、光ディスク５０における次のＳ６においてデータの書込み（記録）の対象となる半径方向の位置を検出し、ＲＡＭ４１に書込んだ目標変調度の中から当該検出された半径方向の位置に応じたものを選択し、当該選択した目標変調度を達成するレーザパワーを、最適なレーザパワーとする。
【００４２】
また、光情報記録装置１は、光ディスク５０に対するデータの記録の際のレーザパワーを、光ディスク５０の上書き回数の代わりに、光ディスク５０の製造元（会社名等）に応じて決定しても良い。このような場合、フラッシュメモリ４１は、図２に示したような、光ディスク５０の上書き回数に関連付けられた目標変調度の代わりに、図５に示すような、光ディスク５０の製造元（ＤＩＳＣメーカ名）に関連付けられた目標変調度を記憶している。なお、光ディスク５０の製造元に関する情報は、たとえば、各光ディスク５０のリードインエリアに記録されているものとする。
【００４３】
また、光情報記録装置１は、光ディスク５０の上書き回数、光ディスク５０において記録の対象となる箇所の半径方向の位置、および、光ディスク５０の製造元という３つの条件の中のいずれか２つ、または、これらすべての条件に基づいて、レーザピックアップ３６についての記録の際の最適なレーザパワーを決定されても良い。
【００４４】
このような場合、フラッシュメモリ４２には、たとえば、光ディスク５０の上書き回数と半径方向の位置について１つずつ値を決定されることにより１つの目標変調度が決定されるように、または、上記の３つの条件のすべてについて１つずつ値を決定されることにより１つの目標変調度が決定されるように、目標変調度が記憶されている。
【００４５】
また、以上説明した本実施の形態では、光記録媒体としてディスク状のものを例示したが、本発明はこれに限定されない。光記録媒体は、上記した半径位置が問題とされる場合を除いては、カード状のものとされても良い。
【００４６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４７】
【図１】本発明の光情報記録装置の一実施の形態のブロック図である。
【図２】図１の光情報記録装置のフラッシュメモリにおける変調度の基準値の記憶態様の一例を模式的に示す図である。
【図３】図１の光情報記録装置のＣＰＵが実行する情報記録処理のフローチャートである。
【図４】図１の光情報記録装置のフラッシュメモリにおける変調度の基準値の記憶態様の他の例を模式的に示す図である。
【図５】図１の光情報記録装置のフラッシュメモリにおける変調度の基準値の記憶態様のさらに他の例を模式的に示す図である。
【符号の説明】
【００４８】
１  光情報記録装置、３１  ＣＰＵ、３２  ピックアップ駆動回路、３３  レーザ制御回路、３４  回転制御回路、３５  モータ、３８  デコード回路、３９  バッファメモリ、４０  インターフェイス制御回路、４１  ＲＡＭ、４２  フラッシュメモリ、４３  ＲＯＭ、５０  光ディスク、１００  外部装置。
【図１】
2006040344.tif 000003
【図２】
2006040344.tif 000004
【図３】
2006040344.tif 000005
【図４】
2006040344.tif 000006
【図５】
2006040344.tif 000007